【手続補正書】
【提出日】平成21年3月24日(2009.3.24)
【手続補正１】
【補正対象書類名】特許請求の範囲
【補正対象項目名】全文
【補正方法】変更
【補正の内容】
【特許請求の範囲】
【請求項１】
システムであって、
調査を示すデータを受信するとともに該調査に関連する被招請者を示すデータを受信するよう設けた第１のアプリケーションと、
少なくとも一人の人物に関する連絡先に関する情報を記憶するよう設けた第２のアプリケーション（１１３）と、
前記第１及び第２のアプリケーションと通信するサーバとを備え、
前記第１のアプリケーションはさらに、前記第２のアプリケーション（１１３）が記憶する前記被招請者に関連する連絡先を検索し、
前記調査の完了前に前記調査の下検分を供給し、
該連絡先を用いて前記調査実施招請を前記被招請者へ供給し、
前記調査に対する前記被招請者の応答を示すデータを受信し、
前記被招請者による前記調査の特定の質問への特定の返答に応答して応答して、前記被招請者による前記調査の完了に先立ってメッセージの通知を提供し、
前記調査に対する前記被招請者の応答を示すデータに応じて前記メッセージを所定の受信者に提供するよう設けた、システム。
【請求項２】
前記第１のアプリケーションは、前記調査に対する応答を示すデータを受信し、該応答を示す前記データの少なくとも一部を前記調査に関するデータと共にテーブル内に記憶させるよう設けた、請求項１記載のシステム。
【請求項３】
前記第１のアプリケーションは、複数の被招請者に対する前記調査へのアクセスをもたらし、前記調査に関する前記複数の被招請者から受信したデータを前記同一のデータベーステーブル内に記憶させるよう設けた、請求項１記載のシステム。
【請求項４】
前記第１のアプリケーションは、インタフェースを提供するよう設けてあり、 該インタフェースは、
前記調査の作成と、
先に作成した調査の複製と、
前記調査に関連する結果の視認と、
前記被招請者への督促状の送付
のうちの少なくとも一つを促すよう設けた、請求項１記載のシステム。
【請求項５】
前記第１のアプリケーションは、前記第２のアプリケーション（１１３）から独立して動作する、請求項１記載のシステム。
【請求項６】
前記第１のアプリケーションは、前記調査の下検分をもたらすよう設けた、請求項１記載のシステム。
【請求項７】
前記第１のアプリケーションは、前記調査の作成を促すよう設けた、請求項１記載のシステム。
【請求項８】
前記第１のアプリケーションは、前記調査を如何に展開するかを示すデータを受け取るよう設けた、請求項１記載のシステム。
【請求項９】
前記第１のアプリケーションは、前記調査に対する前記被招請者の応答を前記被招請者に関連付けるかどうかを示すデータを受け取るよう設けた、請求項１記載のシステム。
【請求項１０】
前記第１のアプリケーションは、前記調査の作成を促すインタフェースを提供するよう設けた、請求項１記載のシステム。
【請求項１１】
前記第１のアプリケーションは、前記インタフェースへアクセスする人物に関連する役割を決定するよう設けた、請求項１０記載のシステム。
【請求項１２】
前記第１のアプリケーションは、前記役割に基づき前記人物に対し特権を与えるよう設けた、請求項１１記載のシステム。
【請求項１３】
前記第１のアプリケーションは、前記調査に対しタイムスタンプを割り当てるよう設けた、請求項１記載のシステム。
【請求項１４】
前記第１のアプリケーションは、前記調査に対し第２のタイムスタンプを割り当て、前記被招請者に対し前記調査の再実施招請を供給し、前記調査を再実施する前記被招請者からの結果に前記第２のタイムスタンプを関連付けるよう設けた、請求項１３記載のシステム。
【請求項１５】
調査の使用を促すシステムであって、
メモリ（８６０）と、
通信ポート（８５２）と、
前記メモリ（８６０）と前記通信ポート（８５２）とに接続したプロセッサ（８５０）で、
調査の作成を促し、
前記調査に関連する被招請者を示すデータを受信し、
前記被招請者の連絡先を示すデータを検索し、ここで該データは前記システム外部のアプリケーション（１１３）により作成され、
前記調査の完了前に前記調査の下検分を供給し、
前記連絡先を用い、前記調査の実施招請を前記被招請者へ供給し、
前記被招請者による前記調査へのアクセスを促し、
前記調査に対する前記被招請者の応答を示すデータを受信し、
前記被招請者による前記調査の特定の質問への特定の返答に応答して応答して、前記被招請者による前記調査の完了に先立ってメッセージの通知を提供し、
前記調査に対する前記被招請者の応答を示すデータに応じて前記メッセージを所定の受信者に提供するよう動作する前記プロセッサ（８５０）とを備える、システム。
【請求項１６】
調査の使用を促す方法であって、
サーバが調査の作成を促すステップで、該調査が関連する被招請者を有する前記ステップと、
前記調査の完了前に前記調査の下検分を供給するステップと、
アプリケーション（１１３）が保全するデータをサーバが検索するステップで、前記データが前記被招請者に関する連絡先を示す前記ステップと、
前記連絡先を用い、前記被招請者に対し前記調査実施招請を供給するステップで、前記招請が前記調査場所を示すデータを含む前記ステップと、
前記被招請者による前記調査に対するアクセスを促すステップと、
前記調査に対する前記被招請者の応答を示すデータを受信するステップと、
前記被招請者による前記調査の特定の質問への特定の返答に応答して応答して、前記被招請者による前記調査の完了に先立ってメッセージの通知を提供するステップと、
前記調査に対する前記被招請者の応答を示すデータに応じて前記メッセージを所定の受信者に提供するステップを含む、方法。
【請求項１７】
前記調査作成を促すステップは、再使用する以前作成した調査を特定するデータを受信するステップを含む、請求項１６記載の方法。
【請求項１８】
前記調査に対する結果を得るステップで、前記結果が前記被招請者に関連付けてある前記ステップと、
前記調査に関する少なくとも一人の他の被招請者からの結果と共にデータベーステーブル内に前記結果を記憶させるステップとをさらに含む、請求項１６記載の方法。
【請求項１９】
前記調査に対し第１のタイムスタンプを割り当てるステップと、
前記調査に関する前記被招請者からの結果に前記第１のタイムスタンプを関連付けるステップとをさらに含む、請求項１６記載の方法。
【請求項２０】
前記調査に対し第２のタイムスタンプを割り当てるステップと、
前記被招請者に対し前記調査の再実施招請を供給するステップと、
前記被招請者による前記調査に対するアクセスを可能にするステップと、
前記調査を再実施する前記被招請者からの結果に前記第２のタイムスタンプを関連付けるステップとをさらに含む、請求項１９記載の方法。
【請求項２１】
前記被招請者に関連するパラメータを示すデータを受信するステップをさらに含む、請求項１６記載の方法。
【請求項２２】
前記パラメータに基づき前記調査内に情報を包含させるステップをさらに含む、請求項２１記載の方法。
【請求項２３】
前記パラメータに基づき前記招請内に情報を包含させるステップをさらに含む、請求項２１記載の方法。
【請求項２４】
前記調査を如何に展開すべきかを示すデータを受信するステップをさらに含む、請求項１６記載の方法。
【請求項２５】
前記人物に関連する役割に基づき前記調査結果へアクセスすることのできる人物を決定するステップをさらに含む、請求項２４記載の方法。